【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
ａ．第１の平行図形情報と所望の交点とを含む第１のグラフィック画像を形成するステップと、
ｂ．前記第１の平行図形情報に対して所定の角度で形成される第２の平行図形情報を含む第２のグラフィック画像を形成するステップと、
ｃ．第１印刷モジュールに前記第１のグラフィック画像を送るステップと、
ｄ．第２印刷モジュールに前記第２のグラフィック画像を送るステップと、
ｅ．印刷媒体に、前記第１と第２のグラフィック画像を印刷して重畳画像を形成するステップであって、前記第１と第２のグラフィック画像は画素単位で印刷されるステップと、
ｆ．前記重畳画像を目視して、前記所望の交点に基づいてアライメントを確認するステップと、
を含む、プリンタの印刷モジュールレジストレーションの安定度を測定する方法。
【請求項２】
ａ．第１の平行図形情報と第１の交点とを含む第１のグラフィック画像を形成するステップと、
ｂ．第２の平行図形情報と所望の交点とを含む第２のグラフィック画像を形成するステップであって、前記第２の平行図形情報は前記第１の平行図形情報に対して所定の角度で形成されるステップと、
ｃ．第１印刷モジュールに前記第１のグラフィック画像を送るステップと、
ｄ．第２印刷モジュールに前記第２のグラフィック画像を送るステップと、
ｅ．印刷媒体に、前記第１と第２のグラフィック画像を印刷して重畳画像を形成するステップであって、前記第１と第２のグラフィック画像は画素単位で印刷されるステップと、
ｆ．目視して、前記第１と第２の交点を比較することで、平均交点を確認するステップと、
を含む、プリンタの印刷モジュールレジストレーションを調整する方法。
【請求項３】
前記平均交点が所望の交点に一致するまで、該平均交点に基づいて前記第１と第２のグラフィック画像を調整するステップを更に含む、請求項２に記載の方法。
【手続補正２】
【補正対象書類名】明細書
【補正対象項目名】発明の名称
【補正方法】変更
【補正の内容】
【発明の名称】印刷モジュールレジストレーションの安定度を測定する方法及び安定度を調整する方法
【手続補正３】
【補正対象書類名】明細書
【補正対象項目名】００４６
【補正方法】変更
【補正の内容】
【００４６】
本態様の方法で作成される革新的なテストパターンには、従来のシステムのような繰り返しがないため、誤差をもたらす問題の解決がより困難になる。したがって、可能な限り多くのデータを集めることは、疑わしい変数を効果的に排除する方法を把握する上で極めて重要である。
［付記］
（１）ａ．第１の平行図形情報と所望の交点とを含む第１のグラフィック画像を形成するステップと、
ｂ．前記第１の平行図形情報に対して所定の角度で形成される第２の平行図形情報を含む第２のグラフィック画像を形成するステップと、
ｃ．第１印刷モジュールに前記第１のグラフィック画像を送るステップと、
ｄ．第２印刷モジュールに前記第２のグラフィック画像を送るステップと、
ｅ．印刷媒体に、前記第１と第２のグラフィック画像を印刷して重畳画像を形成するステップであって、前記第１と第２のグラフィック画像は画素単位で印刷されるステップと、
ｆ．前記重畳画像を目視して、前記所望の交点に基づいてアライメントを確認するステップと、
を含む、プリンタの印刷モジュールレジストレーションの安定度を測定する方法。
（２）前記第１と第２の平行図形情報は、平行線と、平行曲線と、グリッドパターンと、ビットマップと、これらの組み合わせと、を含む、（１）に記載の方法。
（３）前記第２の図形情報は、単一画素のステップの集合である、（１）に記載の方法。
（４）前記角度は、前記第１と第２のグラフィック画像が約３００ｄｐｉと約６００ｄｐｉの間の解像度からなる場合に、約１度と約８度の間の角度である、（１）に記載の方法。
（５）前記角度は、前記第１と第２のグラフィック画像が３００ｄｐｉの解像度からなる場合に２度の角度である、（１）に記載の方法。
（６）前記第１印刷モジュールに前記第１のグラフィック画像を送るステップと、前記第２印刷モジュールに前記第２のグラフィック画像を送るステップは、前記第１と第２のグラフィック画像をデジタルファイルまたは物理的図版として送信することによって実行される、（１）に記載の方法。
（７）前記第１印刷モジュールと前記第２印刷モジュールは、インクジェットプリンタのプリントヘッドと、オフセットプリンタの印刷ステーションと、電子写真式印刷ステーションと、熱転写プリントヘッドと、グラビア印刷機の印刷ステーションと、これらを組み合わせたものと、を含むグループから選択される、（１）に記載の方法。
（８）前記第１印刷モジュールは前記第２印刷モジュールから独立したものである、（１）に記載の方法。
（９）前記第１印刷モジュールと前記第２印刷モジュールは連続した構成である、（１）に記載の方法。
（１０）前記印刷媒体はカット紙またはウェブ媒体である、（１）に記載の方法。
（１１）前記第１と第２のグラフィック画像を印刷するステップは、連続画素単位である、（１）に記載の方法。
（１２）前記目視してアライメントを確認するステップは、実際の印刷モジュールアライメントと、印刷モジュールアライメントのばらつきと、前記印刷媒体の速度変化によって生じるアライメントのばらつきと、これらの組み合わせと、を確認することを含む、（１）に記載の方法。
（１３）前記目視してアライメントを確認するステップは、更に、問題を特定することを含み、前記問題は、印刷媒体の速度変化と、印刷のフラッタと、振動と、印刷媒体の張力と、中心から外れた印刷ガイドの向きと、中心から外れたローラの向きと、印刷媒体の横方向ドリフトと、これらの組み合わせと、を含む、（１）に記載の方法。
（１４）印刷の実行中に調整ステップを実行するステップを更に含み、前記調整ステップは、
ａ．紙送りサーボ制御を微調整するステップと、
ｂ．ローラを交換するステップと、
ｃ．ローラ位置を補正するステップと、
ｄ．用紙張力を調整するステップと、
ｅ．ローラを追加するステップと、
ｆ．回転速度計基準の印刷媒体動作センサの位置と、センサ数を調整するステップと、
ｇ．これらを組み合わせたステップと、
を含む、（１３）に記載の方法。
（１５）ａ．第１の平行図形情報と第１の交点とを含む第１のグラフィック画像を形成するステップと、
ｂ．第２の平行図形情報と所望の交点とを含む第２のグラフィック画像を形成するステップであって、前記第２の平行図形情報は前記第１の平行図形情報に対して所定の角度で形成されるステップと、
ｃ．第１印刷モジュールに前記第１のグラフィック画像を送るステップと、
ｄ．第２印刷モジュールに前記第２のグラフィック画像を送るステップと、
ｅ．印刷媒体に、前記第１と第２のグラフィック画像を印刷して重畳画像を形成するステップであって、前記第１と第２のグラフィック画像は画素単位で印刷されるステップと、
ｆ．目視して、前記第１と第２の交点を比較することで、平均交点を確認するステップと、
を含む、プリンタの印刷モジュールレジストレーションを調整する方法。
（１６）前記平均交点が所望の交点に一致するまで、該平均交点に基づいて前記第１と第２のグラフィック画像を調整するステップを更に含む、（１５）に記載の方法。
（１７）前記第１と第２のグラフィック画像を調整するステップは印刷を行っている間に実行される、（１６）記載の方法。
（１８）前記第１と第２のグラフィック画像を調整するステップは、
ａ．前記第１印刷モジュールと前記第２印刷モジュールの間隔の調整と、
ｂ．少なくとも１つの印刷モジュールの前記印刷媒体に対する間隔の調整と、
ｃ．少なくとも１つのグラフィック画像の印刷の調整と、
ｄ．前記少なくとも１つの印刷モジュールと印刷媒体の位置関係の変更と、
ｅ．少なくとも１つの印刷モジュールと少なくとも１つの印刷モジュールの位置関係の変更と、
ｆ．これらを組み合わせた処理と、からなるグループから選択されるステップによって実行される、（１６）に記載の方法。
（１９）前記少なくとも１つのグラフィック画像の印刷を調整するステップは、電子的遅延を利用して実行される、（１８）に記載の方法。
（２０）前記第１と第２の平行図形情報は、平行線と、平行曲線と、グリッドパターンと、ビットマップと、これらの組み合わせと、を含む、（１５）に記載の方法。
（２１）前記第１と第２のグラフィック画像を印刷するステップは、連続画素単位である、（１５）に記載の方法。
（２２）前記連続画素単位は、印刷媒体に対する実質的な平行線と、印刷媒体に対する実質的な垂直線と、これらの組み合わせと、からなるグループから選択される、（１６）に記載の方法。
（２３）少なくとも１つのグラフィック画像は、誤差量を表す指針マークを含み、前記誤差量は、所望の交点を生成するのに必要な調整量に一致する、（１５）に記載の方法。